(57)【要約】【課題】  データの出力態様の自由度を多くする。【解決手段】  ＦＡＸ送信部３８、Ｎｅｔ配信部４０各々で要求されるデータ形式に変換可能な中間形式でデータを保存する第１の記憶領域４６、第１の記憶領域４６に記憶されたデータをＦＡＸ送信部３８、Ｎｅｔ配信部４０に、ＦＡＸ送信部３８、Ｎｅｔ配信部４０各々で要求されるデータ形式に変換して出力する画像処理用デフォーマッター５０と、を備えている。第１の記憶領域４６に記憶されたデータは、画像処理用デフォーマッタ５０が、ユーザーの指示に対応するＦＡＸ送信部３８、ＮＥＴ配信部４０の出力先に、出力先（ＦＡＸ送信部３８、ＮＥＴ配信部４０）が要求するデータ形式に変換して出力する。【選択図】        図１
2006270896.tif 000002
【特許請求の範囲】
【請求項１】
データを入力する入力手段と、
各々異なるデータ形式でデータを出力する複数の出力手段と、
前記複数の出力手段各々で要求されるデータ形式に変換可能な中間形式でデータを保存する保存手段と、
前記保存手段に保存されたデータを出力手段に、出力手段に応じたデータ形式に変換して出力する変換手段と、
を備えたデータ保存出力装置。
【請求項２】
印刷出力手段と、
印刷出力手段で要求される印刷出力要求形式でデータを保存する印刷出力用保存手段と、
前記保存手段により保存されたデータを、前記印刷出力要求形式に変換して前記印刷出力用保存手段に出力する変換処理手段と、
を更に備えた請求項１記載のデータ保存出力装置。
【請求項３】
前記印刷出力用保存手段は、前記データを圧縮した状態で保存し、
前記印刷出力用保存手段に圧縮した状態で保存された前記データを解凍して、前記印刷出力手段に出力する解凍処理手段を更に備えたことを特徴とする請求項２記載のデータ保存出力装置。
【請求項４】
前記印刷出力用保存手段により保存されるデータには、前記中間形式に変換可能なデータ形式のデータが含まれ、
前記変換処理手段は、前記印刷出力用保存手段により保存されている前記中間形式に変換可能なデータを、前記中間形式に変換して前記保存手段に出力する、
ことを特徴とする請求項２又は請求項３記載のデータ保存出力装置。
【請求項５】
前記入力手段は、ページ記述言語の形式のデータを入力し、
前記入力手段により入力されたページ記述言語の形式のデータを、前記中間形式に変換して前記保存手段に出力すること、及び、前記印刷出力要求形式に変換して前記印刷出力用保存手段に出力することが可能な変換出力手段を更に備えたことを特徴とする請求項２乃至請求項４の何れか１項に記載のデータ保存出力装置。
【請求項６】
前記入力手段は、被読取媒体を読み取ることによりデータを入力し、
前記読み取りにより得られたデータを、前記中間形式に変換処理して前記保存手段に出力すること、及び、前記印刷出力要求形式に変換して前記印刷出力用保存手段に出力することが可能な変換処理出力手段と、
を更に備えたことを特徴とする請求項２乃至請求項５の何れか１項に記載のデータ保存出力装置。
【請求項７】
前記入力手段は、前記中間形式のデータを記憶する記憶媒体から該データを入力することを特徴とするを請求項１乃至請求項６の何れか１項に記載のデータ保存出力装置。
【請求項８】
前記出力手段は、前記データを、通信回線を介して出力することを特徴とする請求項１乃至請求項７の何れか１項に記載のデータ保存出力装置。
【請求項９】
前記入力手段により入力されたデータを前記印刷出力手段に送信するための経路が設けられている請求項２乃至請求項８の何れか１項に記載のデータ保存出力装置。
【請求項１０】
入力手段により、データを入力するステップと、
保存手段により、各々異なるデータ形式でデータを出力する複数の出力手段各々で要求されるデータ形式に変換可能な中間形式でデータを保存するステップと、
変換手段により、前記保存手段に保存されたデータを出力手段に、出力手段に応じたデータ形式に変換して出力するステップと、
を備えたデータ保存出力方法。
【請求項１１】
印刷出力用保存手段により、印刷出力手段で要求される印刷出力要求形式でデータを保存するステップと、
変換処理手段により、前記保存手段により保存されたデータを、前記印刷出力要求形式に変換して前記印刷出力用保存手段に出力するステップと、
を更に備えた請求項１０記載のデータ保存出力方法。
【請求項１２】
前記印刷出力用保存手段は、前記データを圧縮した状態で保存し、
解凍処理手段により、前記印刷出力用保存手段に圧縮した状態で保存された前記データを解凍して、前記印刷出力手段に出力するステップを更に備えたことを特徴とする請求項１１記載のデータ保存出力方法。
【請求項１３】
前記印刷出力用保存手段により保存されるデータには、前記中間形式に変換可能なデータ形式のデータが含まれ、
前記変換処理のステップでは、前記印刷出力用保存手段により保存されている前記中間形式に変換可能なデータを、前記中間形式に変換して前記保存手段に出力する、
ことを特徴とする請求項１１又は請求項１２記載のデータ保存出力方法。
【請求項１４】
前記入力手段は、ページ記述言語の形式のデータを入力し、
変換出力手段により、前記入力手段により入力されたページ記述言語の形式のデータを、前記中間形式に変換して前記保存手段に出力し、又は、前記印刷出力要求形式に変換して前記印刷出力用保存手段に出力するステップを更に備えたことを特徴とする請求項１１乃至請求項１３の何れか１項に記載のデータ保存出力方法。
【請求項１５】
前記入力手段は、被読取媒体を読み取ることによりデータを入力し、
変換処理出力手段により、前記読み取りにより得られたデータを、前記中間形式に変換処理して前記保存手段に出力し、又は、前記印刷出力要求形式に変換して前記印刷出力用保存手段に出力するステップと、
を更に備えたことを特徴とする請求項１１乃至請求項１４の何れか１項に記載のデータ保存出力方法。
【請求項１６】
前記入力手段は、前記中間形式のデータを記憶する記憶媒体から該データを入力することを特徴とするを請求項１０乃至請求項１５の何れか１項に記載のデータ保存出力方法。
【請求項１７】
前記出力手段は、前記データを、通信回線を介して出力することを特徴とする請求項１０乃至請求項１６の何れか１項に記載のデータ保存出力方法。
【請求項１８】
前記入力手段により入力されたデータを所定の経路を介して前記印刷出力手段に送信するステップを更に備えた請求項１１乃至請求項１７の何れか１項に記載のデータ保存出力方法。
【請求項１９】
画像データ及び該画像データの処理手続きを指示する処理手続き情報を入力する入力手段と、
前記入力された処理手続き情報に基づいて、前記入力された画像データを、出力手段で要求されるデータ形式又は該データ形式とは異なる形式に変換する形式変換手段と、
を備えたデータ処理装置。
【請求項２０】
前記異なる形式は、前記出力手段で要求されるデータ形式に変換可能な中間形式であることを特徴とする請求項１９記載のデータ処理装置。
【請求項２１】
入力手段により、画像データ及び該画像データの処理手続きを指示する処理手続き情報を入力するステップと、
形式変換手段により、前記入力された処理手続き情報に基づいて、前記入力された画像データを、出力手段で要求されるデータ形式又は該データ形式とは異なる形式に変換するステップと、
を備えたデータ処理方法。
【請求項２２】
前記異なる形式は、前記出力手段で要求されるデータ形式に変換可能な中間形式であることを特徴とする請求項２１記載のデータ処理方法。
【発明の詳細な説明】
【技術分野】
【０００１】
本発明は、データ保存出力装置及び方法、及びデータ処理装置及び方法にかかり、より詳細には、入力されたデータを所定の形式で出力するデータ保存出力装置及び方法、及び、入力されたデータを処理するデータ処理装置及び方法に関する。
【背景技術】
【０００２】
従来、スキャン、コピー、プリント、ファクシミリ送受信、パソコンからのデータの受信、メディアからの読み取り等の複数の機能を実行可能な複合機（MFP機）が提案されている（特許文献１）。このような複合機では、各機能実行のためのデータの形式を、各イメージバス（Ｐａｔｈ）毎に最適化することにより、高画質及び生産性を向上させている。
【０００３】
しかし、各機能実行のためのデータの形式が各イメージバス毎に最適化されていると共に、スキャン部や受信部等の各入力部からは印刷出力部に到達する経路のみ有するので、ある機能実行のために得られたデータを、他の機能で実行することはできない。従って、例えば、コピー用に得られたデータを、ファックス送信することはできない。
【０００４】
また、プリント用データを変換してプリント以外の形式で出力することの可能な画像形成装置も提案されている（特許文献２参照）。しかし、スキャン画像やFAX、外部メディア等との編集に関しては、共通色空間の違いや、生成した画像情報の共通データとしての外部への提供に課題が残る。
【特許文献１】特開２００１‐２２３８２８号公報
【特許文献１】特開平１０‐２０８０２０号公報
【発明の開示】
【発明が解決しようとする課題】
【０００５】
本発明は、上記事実に鑑み成されたもので、データの出力態様の自由度を多くすることの可能なデータ保存出力装置及び方法、及びデータ処理装置及び方法を提供することを目的とする。
【課題を解決するための手段】
【０００６】
上記目的を達成するために請求項１に記載の発明のデータ保存出力装置は、データを入力する入力手段と、各々異なるデータ形式でデータを出力する複数の出力手段と、前記複数の出力手段各々で要求されるデータ形式に変換可能な中間形式でデータを保存する保存手段と、前記保存手段に保存されたデータを出力手段に、出力手段に応じたデータ形式に変換して出力する変換手段と、を備えている。
【０００７】
即ち、入力手段は、データを入力し、複数の出力出力手段は、各々異なるデータ形式でデータを出力する。
【０００８】
保存手段は、入力手段により入力されたデータを、複数の出力手段各々で要求されるデータ形式に変換可能な中間形式でデータを保存する。
【０００９】
変換手段は、保存手段に保存されたデータを、出力手段に応じたデータ形式に変換して、出力手段に出力する。
【発明の効果】
【００１０】
以上説明したように本発明は、入力されたデータを、複数の出力手段各々で要求されるデータ形式に変換可能な中間形式でデータを保存し、保存されたデータを、出力手段に応じたデータ形式に変換して出力するので、複数の出力手段の内の何れの出力手段にも出力することができ、データの出力態様の自由度を多くすることができる。
【発明を実施するための最良の形態】
【００１１】
以下、図面を参照して、本発明の実施の形態を詳細に説明する。
【００１２】
図１に示すように、本実施の形態にかかるデータ保存出力装置としての複合機は、各々異なる形式のデータを入力する複数の入力手段としての、電話回線を介してデータをファクシミリ受信するＦＡＸ受信部３２、インターネットを介してデータを受信するＮｅｔ受信部３４、外部メディアからデータを読み取って入力する読取入力部３６、被読取媒体としての原稿を読み取ってデータを入力する画像読み込み装置２４、クライアント（Ｃｌｉｅｎｔ）からのデータを受信する受信部１２を備えている。
【００１３】
また、本実施の形態にかかる複合機は、各々異なるデータ形式でデータを出力する出力手段、即ち、電話回線を介してデータを送信するＦＡＸ送信部３８、インターネットを介してデータを配信するＮｅｔ配信部４０を備えている。
【００１４】
更に、本実施の形態にかかる複合機は、ＦＡＸ送信部３８、Ｎｅｔ配信部４０各々で要求されるデータ形式に変換可能な中間形式でデータを保存する保存手段としての第１の記憶領域４６を備えたハードディスク４４と、第１の記憶領域４６に記憶されたデータをＦＡＸ送信部３８、Ｎｅｔ配信部４０に、ＦＡＸ送信部３８、Ｎｅｔ配信部４０各々で要求されるデータ形式に変換して出力する変換手段としての画像処理用デフォーマッター５０と、を備えている。
【００１５】
また、本実施の形態にかかる複合機は、印刷出力手段としての画像出力装置１８と、画像出力装置１８で要求される印刷出力要求形式でデータを保存する印刷出力用保存手段としての、上記ハードディスク４４に備えられた第２の記憶領域４８と、第１の記憶領域４６により保存されたデータを、印刷出力要求形式に変換して第２の記憶領域４８に出力する変換処理手段としても画像処理部５２と、を更に備えている。
【００１６】
ところで、上記第２の記憶領域４８は、上記データを圧縮した状態で保存している。そこで、本複合機は、第２の記憶領域４８に圧縮した状態で保存されたデータを解凍して、画像出力装置１８に出力する解凍処理手段としての画像処理部５４を更に備えている。
【００１７】
また、第２の記憶領域４８には、画像出力装置１８で要求される印刷出力要求形式でデータが保存され、基本的には、これらのデータは上記中間形式に変換することはできない。しかし、第２の記憶領域４８により保存されるデータの中には、中間形式に変換可能なデータ形式（後述するLab Jpeg改）のデータを含むことが可能である。
【００１８】
そこで、上記画像処理部５２は、第２の記憶領域４８により保存されている中間形式に変換可能なデータを、中間形式に変換して第１の記憶領域４６にに出力する。
【００１９】
また、受信部１２は、クライアントから、ページ記述言語（ＰＤＬ）の形式のデータを受信する。本複合機は、受信部１２により受信力されたページ記述言語の形式のデータを、中間形式又は印刷出力要求形式に変換して第１の記憶領域４６、第２の記憶領域４８に出力する変換出力手段及び形式変換手段としてのデコンポーザ１４を備えている。
【００２０】
上記のように、画像読み込み装置２４は、原稿を読み取ることによりデータを入力する。本複合機は、このような読み取りにより得られたデータを、中間形式に変換処理して第１の記憶領域４６に出力すること、及び、上記印刷出力要求形式に変換して第２の記憶領域４８に出力することの可能な変換処理出力手段及び形式変換手段としてのコピー系画像処理部２６を備えている。
【００２１】
なお、上記外部メディアからは、上記中間形式のデータを入力することが可能である。また、上記のように、ＦＡＸ送信部３８及びＮｅｔ配信部４０はそれぞれ、電話回線、インターネット等の通信回線を介してデータを送信する。
【００２２】
なお、上記ＦＡＸ受信部３２、Ｎｅｔ受信部３４、読取入力部３６、及び画像読み込み装置２４、受信部１２と、デコンポーザ１４、及びコピー系画像処理部２６とにより、データ処理装置を構成する。
【００２３】
次に、本実施の形態の作用を説明する。
【００２４】
まず、各入力部から入力されたデータが画像出力装置１８に出力されて印刷処理される場合について説明する。
【００２５】
図２に示すように、本複合機の受信部１２により受信されたデータ（即ち、クライアントで生成され複合機に転送されるページ記述言語（ＰＤＬ））は、第１に、ＲＧＢ３色系と、第２に、ＣＭＹＫ４色系とに分かれる。ＲＧＢ３色系には、プリンタ制御言語（ＰＣＬ）や、所定のプリンタ用記述言語（ＰＬＷ（富士ＸＥＲＯＸ固有のプリンタ用記述言語））等がある。
【００２６】
ＣＭＹＫ４色系には、ポストスクリプト（Ｐｏｓｔ  Ｓｃｒｉｐｔ（ＰＳ））やラスタフデータを含むＴＩＦＦ(Tag Image File Format)、ＰＤＦファイル等がある。
【００２７】
上記種々のページ記述言語の形式のデータは、デコンポーザ１４、特に、非共通機種依存ＣＭＹＫ系１４Ｂで、ＣＭＹＫの形式のイメージデータ（プリントレディデータ）に変換し、プリント系画像処理部１６で、最適化された後、画像出力装置１８に出力され、印刷出力される。なお、非共通機種依存ＣＭＹＫ系１４Ｂは、ページ記述言語の形式のデータを、画質及び通信効率を考慮して設けられたイメージバスに最適化するようにＣＭＹＫの形式のイメージデータに変換する。
【００２８】
図３に示すように、ユーザにより多部数プリントが指定された場合は、デコンポーザ１４で上記のように変換されたデータがプリンタ用データ蓄積用のハードディスク２０に蓄積され、ここに蓄積されたデータがプリント系画像処理部１６を介して画像出力装置１８に出力されて印刷処理される。従って、デコンポージングを繰り返すことなく、多部数分のプリントアウトを高速で実行することができる。
【００２９】
ここで、上記蓄積されるデータ（プリントレディデータ）は、後述する他の出力部を介して出力されるために詳細は後述する中間形式のデータに変換されるものではなく、多部数出力を目的とする一時的に蓄積されたデータである。データ形式は、画像出力装置１８固有の最適化されたデータ形式である。
【００３０】
また、図４に示すように、本複合機における画像読み込み装置２４で読み込まれた画像データは、コピー系画像処理部２６にて最適化されてプリントレディデータ（ＣＭＹＫの形式のイメージデータ）に処理された後、画像出力装置１８に出力され。
【００３１】
即ち、コピー系画像処理部２６は、画像読み込み装置２４で読み込まれた画像データを、画質及び通信効率を考慮して設けられたイメージバスに最適化するようにＣＭＹＫの形式のイメージデータに変換する。
【００３２】
図５に示すように、ユーザにより多部数プリントが指定された場合は、コピー系画像処理部２６により最適化された画像データは、コピー用画像蓄積用のハードディスク２８に蓄積され、ここに蓄積されたデータが画像出力装置１８に出力されて印刷処理される。従って、部数分の画像読み込みを繰り返すことなく、多部数分のコピーを高速で実行することができる。
【００３３】
なお、コピー用画像蓄積用のハードディスク２８に蓄積されるデータは、後述する他の出力部を介して出力されるために詳細は後述する中間形式のデータに変換されるものではなく、多部数出力を目的とする一時的に蓄積されたデータである。データ形式は、画像出力装置１８固有の最適化されたデータ形式である。
【００３４】
以上説明した例は、各入力部から入力されたデータが画像出力装置１８に出力される経路等を示すものである。しかし、各入力部から入力されたデータは、必ずしも画像出力装置１８に出力されるもののみではなく、ユーザに指定により、他の出力部を介して出力される場合もある。即ち、各入力部からは、データの処理手続きを指示する処理手続き情報を入力し、該入力された処理手続き情報に従って、画像出力装置１８に出力するか、他の出力部を介して出力される。なお、処理手続き情報としては、例えば、指示書（処理手続きを指示する指示プログラム）の場合もある。
【００３５】
この場合、各入力部から入力されたデータを上記のように、ＣＭＹＫの形式のイメージデータ等に変換してしまうと、画像出力装置１８以外の例えば、ＦＡＸ送信部３８やＮｅｔ配信部４０を介して外部に出力することはできない。ＦＡＸ送信部３８やＮｅｔ配信部４０各々では、各々で要求されるデータ形式でなければ、データを処理することはできないからである。
【００３６】
そこで、本実施の形態では、各入力部から入力されたデータを、上記処理手続き情報に従って、ＦＡＸ送信部３８やＮｅｔ配信部４０各々で要求されるデータ形式に変換可能な中間形式でデータを保存するハードディスク４４を備えている。ハードディスク４４は、図６にも示すように、上記のように、第１の記憶領域４６と第２の記憶領域４８との２つの領域を備えている。上記第１の記憶領域４６に、上記各入力部から入力されたデータを上記中間形式でデータを保存する。即ち、外部機器や広く一般に使われるデータは共通データとして捉え、ＦＡＸ、ＮＥＴ受信、外部メディアからのデータと同様、共通データで構成されたスキャンデータ、及び３コンポーネント系からのプリント用データは共通機種依存のない、共通データで蓄積する。
【００３７】
上記第２の記憶領域４８は、機種依存の非共通な形式でデータを記憶する。即ち、プリント（ＣＭＹＫ系）/コピーサーバ用データはプリントレディデータで高画質かつ高生産性を要求されるため、共通性を犠牲にしても生産性や画質を優先させるため、機種依存の非共通なリアルタイム出力保証となるデータで蓄積する。
【００３８】
以下、図６を参照して、ユーザの指定により各入力部から入力されたデータを上記中間形式で保存する各場合について説明する。
【００３９】
まず、本複合機の受信部１２により受信されたデータ（ＰＤＬのうちの特に上記ＰＣＬやＰＬＷ）は、デコンポーザ１４における共通３コンポーネント系１４Ａにより、共通形式の内のＬａｂ Ｊｐｅｇ形式に変換され、蓄積用フォーマッター４２により第１の記憶領域４６に振り分けられて、記憶される。
【００４０】
一方、本複合機の受信部１２により受信されたデータ（ＰＤＬのうちの特に上記ＴＩＦＦ、ＰＳ、ＰＤＦ）は、非共通機種依存ＣＭＹＫ系１４Ｂにより、ＣＭＹＫ系のデータ形式に変換かつ圧縮され、ユーザに指定により、蓄積用フォーマッター４２により第２の記憶領域４８に振り分けられて、記憶される。
【００４１】
次に、本複合機における画像読み込み装置２４で読み込まれた画像データは、コピー系画像処理部２６にてｓＹＣＣ（Ｊpeg）形式に変換され、蓄積用フォーマッター４２により第１の記憶領域４６に振り分けられて、記憶され、又は、Lab Jpeg改の形式に変換され、蓄積用フォーマッター４２により第２の記憶領域４８に振り分けられて、記憶される。
【００４２】
そして、読取入力部３６により外部メディアから読み取って入力されたデータは、ｓＹＣＣ（Ｊpeg）形式であり、そのまま、第１の記憶領域４６に記憶される。
【００４３】
ところで、本実施の形態では、第１の記憶領域４６に上記中間形式で記憶されたデータを、機種依存の非共通な形式に変換して第２の記憶領域４８に出力する指示をユーザに可能にしている。これを実行するために、図７に示すように、画像処理部５２を備えている。
【００４４】
また、第２の記憶領域４８には、機種依存の非共通な形式のデータが記憶されており、このような形式のデータは基本的には、上記中間形式に変換することはできないが、一部の形式のデータについては上記中間形式に変換することもできる。そこで、上記画像処理部５２は、ユーザがこれを指定に応じてこれを実行する。
【００４５】
なお、画像処理部５２は、上記処理ばかりではなく、回転マージ、面付け、符号化変換、解像度変換、拡縮、色変換などの編集処理も可能としている。
【００４６】
次に、図８を参照して、第１の記憶領域４６、第２の記憶領域４８に記憶されたデータの出力について説明する。
【００４７】
上記第１の記憶領域４６に記憶されたデータは、画像処理用デフォーマッタ５０が、ユーザーの指示に対応するＦＡＸ送信部３８、ＮＥＴ配信部４０の出力先に、出力先（ＦＡＸ送信部３８、ＮＥＴ配信部４０）が要求するデータ形式に変換して出力する。
【００４８】
また、上記第２の記憶流域４８に記憶されたデータに基いて印刷処理する場合には、画像処理用デフォーマッタ５０が画像出力装置１８側に出力するが、上記第２の記憶流域４８に記憶されたデータは、圧縮した状態で記憶されているので、画像処理部５４は、第２の記憶流域４８に記憶されたデータを解凍して画像出力装置１８に出力される。
【００４９】
なお、上記のように、第２の記憶流域４８に記憶されたデータは、第１の記憶領域４６に記憶されたデータが画像処理部５２により変換されて、第２の記憶領域４８に記憶される場合もある（図７参照）。
【００５０】
以上説明したように本実施の形態では、第１の記憶領域４６に、出力先（ＦＡＸ送信部３８、ＮＥＴ配信部４０）が要求するデータ形式に変換可能な中間形式でデータを記憶し、記憶されたデータを、出力先に応じたデータ形式に変換して出力するので、複数の出力先の何れの出力先にも出力することができ、データの出力態様の自由度を多くすることができる。
【００５１】
そして、従来では困難であった、プリントデータとコピーデータのマージやNETや外部インターフェースを通して入力される様々な画像情報の自由な編集、加工、蓄積等が高速にかつ高画質にて可能となる。
【００５２】
また、本実施の形態では、従来のイメージパスと共存させることで、コピー及びプリントに特化して最適化された画像情報はそのままの画質及び生産性を確保することができる。
【００５３】
更に、本実施の形態では、従来イメージデータヘの画像処理機能をもつことで、汎用共通データとして取り込まれた画像データに対しても、プリントレディデータとして、高速に多部数のプリント出力ができる。
【図面の簡単な説明】
【００５４】
【図１】本実施の形態の複合機のブロック図である。
【図２】クライアントからデータを受信する受信部から画像出力装置までの経路を示すブロック図である。
【図３】クライアントからデータを受信する受信部から画像出力装置までの経路の変形例を示すブロック図である。
【図４】画像読み込み装置２４から画像出力装置までの経路を示すブロック図である。
【図５】画像読み込み装置２４から画像出力装置までの経路の変形例を示すブロック図である。
【図６】各入力部から第１の記憶領域及び第２の記憶領域へのデータの流れを示すブロック図である。
【図７】第１の記憶領域及び第２の記憶領域間のデータの流れを示すブロック図である。
【図８】第１の記憶領域及び第２の記憶領域間から各出力部へのデータの流れを示すブロック図である。
【符号の説明】
【００５５】
１２    受信部（入力手段）
１４    デコンポーザー（変換出力手段、形式変換手段）
１８    画像出力装置（印刷出力手段）
２６    コピー系画像処理部（変換処理出力手段、形式変換手段）
３２    ＦＡＸ受信部（入力手段）
３６    Ｎｅｔ受信部（入力手段）
３８    ＦＡＸ送信部（出力手段）
４０    Ｎｅｔ配信部（出力手段）
４６    第１の記憶領域（保存手段）
４８    第２の記憶領域（印刷出力用保存手段）
５０    画像処理用デフォーマッター（変換手段）
５２    画像処理部（変換処理手段）
５４    画像処理部（解凍処理手段）
【図１】
2006270896.tif 000003
【図２】
2006270896.tif 000004
【図３】
2006270896.tif 000005
【図４】
2006270896.tif 000006
【図５】
2006270896.tif 000007
【図６】
2006270896.tif 000008
【図７】
2006270896.tif 000009
【図８】
2006270896.tif 000010